(57)【要約】【課題】  包装付き成形米飯食品の開封性を向上する。【解決手段】  短手方向に２分割するための分断手段を有する表側フィルム１０に、短手方向に２分割した一対のフィルム片１３、１４により表側フィルムを覆うと共に表側フィルムの分断手段に位置する箇所にフィルム片同士の重なり部を設けた裏側フィルムを重ね合わせ、内部にシート状食品Ｎを収容するための袋部を構成するように表側フィルムと裏側フィルムをヒートシールにより融着した成形米飯食品を包装するためのシート体において、裏側フィルムの一対のフィルム片の重なり箇所において、一方又は双方のフィルム片の重なり方向の面を非ヒートシール面１５とすると共に、表側のフィルムの裏面に表面を非ヒートシール面とした帯状のテープ１１を長手方向に渡って積層することにより表側フィルムを短手方向に２分割するための分断手段とする。【選択図】      図１
2006021775.tif 000002
【特許請求の範囲】
【請求項１】
短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着した成形米飯食品を包装するためのシート体において、裏側フィルムの一対のフィルム片の重なり箇所において、一方又は双方のフィルム片の重なり方向の面を非ヒートシール面とすると共に、表側のフィルムの裏面に表面を非ヒートシール面とした帯状のテープを長手方向に渡って積層することにより表側フィルムを短手方向に２分割するための分断手段としたことを特徴とする成形米飯食品包装用シート体。
【請求項２】
裏側フィルムの一対のフィルム片の重なり箇所において、重なりの外側に位置する側のフィルム片の裏面に表面を非ヒートシール面とした帯状のテープをもう一方のフィルム片との重なり箇所に沿って積層することにより、一方のフィルム片の重なり方向の面を非ヒートシール面とする手段とした請求項１記載の成形米飯食品包装用シート体。
【請求項３】
下記(1) の構成からなるシート体により製袋される包装体と、これに包装される成形米飯食品からなり、成形米飯食品を載せた状態でシート体を短手側の両端辺同士が向き合うようにコ字状に折り曲げると共に、長手側の両端辺を成形米飯食品の側壁側に折り曲げて互いに接合することにより上方を開口した直方体に製袋し、更に開口において向き合ったシート体の短手側の両端辺同士をヒートシールにより融着することにより封止したことを特徴とする包装付き成形米飯食品。
(1) 短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着したシート体にして、裏側フィルムの一対のフィルム片の重なり箇所において、一方又は双方のフィルム片の重なり方向の面を非ヒートシール面とすると共に、表側のフィルムの裏面に表面を非ヒートシール面とした帯状のテープを長手方向に渡って積層することにより短手方向に２分割するための分断手段としたシート体。
【発明の詳細な説明】
【技術分野】
【０００１】
この発明は、おにぎりなどの成形米飯食品を包装するシート体に関し、特に開封性に意を払ったシート体及びこれを使用した包装付き成形米飯食品に関する。
【背景技術】
【０００２】
おにぎりを包装するためのプラスチックフィルム製の包装材として、図９に示すように短手方向に２分割するためのカットテープ５３からなる分断手段を有する長方形の表側フィルム６０に、短手方向に２分割した一対のフィルム片６１、６２により表側フィルムを覆うと共に表側フィルムの分断手段に位置する箇所にフィルム片同士の重なり部を設けた裏側フィルムを重ね合わせ、内部に海苔Ｎなどのシート状食品を収容するための袋部を構成するように表側フィルムと裏側フィルムをヒートシール箇所５０Ｓにおいて融着したシート体５０が広く使用されている。
【０００３】
一方、前記のシート体５０を用いた包装付き成形米飯食品として、図１０に示すようにおにぎりＲを載せた状態でシート体を短手側の両端辺５０Ａ、５０Ａ同士が向き合うようにコ字状に折り曲げると共に、長手側の両端辺５０Ｂ、５０Ｂを成形米飯食品の側壁側に折り曲げて互いに接合することにより上方を開口した直方体に製袋し、更に開口において向き合ったシート体の短手側の両端辺５０Ａ、５０Ａ同士をヒートシール箇所ＨＳにおいて融着したものが提案されている。
【特許文献１】実願平３−３５０６３（実開平６−８２６４）のＣＤ−ＲＯＭ
【特許文献２】特開２００４−１５４０６４
【発明の開示】
【発明が解決しようとする課題】
【０００４】
前記の包装付き成形米飯食品の開封にあたっては、表側フィルム６０に設けられたカットテープ５３端を摘んで包装体の前後縦方向（シート体の長手方向）外周に沿って表側フィルムの他端まで引っ張ることにより、表側フィルムに帯状の切り欠きが生じて短手方向に２分割されることになる。この場合、裏側フィルムは短手方向に２分割したフィルム片６１、６２からなるので、シート体５０は短手方向に２分割されたことになり、左右に引っ張ることにより、おにぎりＲ表面に海苔Ｎが巻装した状態でシート体はおにぎりから離脱する筈である。
【０００５】
しかしながら、前記したように包装体の開口において向き合ったシート体５０の短手側の両端辺５０Ａ、５０Ａ同士はヒートシール箇所ＨＳにおいて融着されている。図１１の（Ｂ）はこの場合の包装体のヒートシール箇所ＨＳの融着前の端面を示す図であるが、シート体５０を構成する各フィルム６０、６１、６２は融着により袋状に接合されるので、裏面においてヒートシール性を有していなくてはならない。即ち、シート体５０の短手側の両端辺５０Ａ、５０Ａ同士をヒートシール箇所ＨＳにおいて融着すると、上記の図において融着箇所を（○○○）で示すように各フィルム同士が融着し、本来２分割されている筈の裏側フィルムのフィルム片６１、６２同士も融着されてしまう。従って、カットテープにより表側フィルムは２分割されても、裏側フィルムはシート体５０の短手側の両端辺５０Ａ、５０Ａ付近において接合されたままとなり、開封にあたり一々この部分を引き剥がす作業が必要となり、開封性が悪いという問題が残った。
【課題を解決するための手段】
【０００６】
この発明は前記の問題を解消するシート体を提供することを目的として創作されたものであり、短手方向に２分割するための分断手段を有する表側フィルムに、短手方向に２分割した一対のフィルム片により表側フィルムの全部又は一部を覆うと共に表側フィルムの分断手段に位置する箇所にフィルム片同士の重なり部を設けた裏側フィルムを重ね合わせ、内部にシート状食品を収容するための袋部を構成するように表側フィルムと裏側フィルムをヒートシールにより融着した成形米飯食品を包装するためのシート体において、裏側フィルムの一対のフィルム片の重なり箇所において、一方又は双方のフィルム片の重なり方向の面を非ヒートシール面とすると共に、表側のフィルムの裏面に表面を非ヒートシール面とした帯状のテープを長手方向に渡って積層することにより表側フィルムを短手方向に２分割するための分断手段としたことを特徴とする。
【０００７】
又、この発明の包装付き成形米飯食品は前記シート体を用いて、シート体に成形米飯食品を載せた状態でシート体を短手側の両端辺同士が向き合うようにコ字状に折り曲げると共に、長手側の両端辺を成形米飯食品の側壁側に折り曲げて互いに接合することにより上方を開口した直方体に製袋し、更に開口において向き合ったシート体の短手側の両端辺同士をヒートシールにより融着することにより封止したことを特徴とする。
【発明の効果】
【０００８】
この発明のシート体によれば、裏側フィルムの一対のフィルム片の重なり箇所において、一方又は双方のフィルム片の重なり方向の面を非ヒートシール面とすると共に、表側フィルムを短手方向に２分割するための帯状のテープの表面を非ヒートシール面としているので、開口においてシート体の短手側の両端辺同士を向き合うように製袋し、両端辺同士をヒートシールにより融着する際に上記非ヒートシール面が当接する箇所は融着されない作用を生じる。よって、従来技術のように裏側フィルムの２分割したフィルム片同士がシート体の短手側の両端辺付近において接合されることが防止され、帯状のテープをカットテープとして表側フィルムを２分割すれば、直ちにシート体が２分割されて開封が容易になる効果を奏する。
【発明を実施するための最良の形態】
【０００９】
図１乃至図２はこの発明のシート体１の構成を示す図である。このシート体１は裏面をヒートシール層とした表側フィルム１０と裏側フィルム１３、１４を、内部にシート状食品を収容するための袋部を構成するように重合した構成からなる。表側フィルム１０は長方形からなり、短手方向に２分割するための帯状の切り取りによる分断手段を有する。この発明においては分断手段として表側フィルム１０の裏面に帯状のテープ１１を積層し、上記テープ１１の表面を非ヒートシール面としている。この実施例においては帯状のテープ１１を従来のカットテープに比し幅広とすると共に適度の腰を有する素材により構成することにより、引き裂きにあたっての指先でのテープ端の探索を容易にしている。又、分断手段（帯状のテープ）の引き上げ開始時における引き裂きを容易にするために、表側フィルムの一端の分断手段の開始箇所の左右に一対の切り込み１２、１２を設けている。
【００１０】
裏側フィルムは包装時におにぎりＲに接する側のフィルムであり、表側フィルム１０の全部又は一部を覆う形状に短手方向に２分割した一対のフィルム片１３及び１４により構成され、これらのフィルム片は表側フィルムの分断手段に位置する箇所において一部分が重なる重なり部を構成する。
【００１１】
表側フィルム１０と裏側フィルム１３、１４は、裏側フィルムのフィルム片同士の重なり部を除いた周縁にヒートシール箇所Ｓ１を設けて融着、重合されることにより内部にシート状食品Ｎを収容するための袋部を構成する。この実施例においてはシート状食品Ｎとして海苔を想定している。
【００１２】
前記の裏側フィルムの一対のフィルム片１３及び１４の重なり箇所において、一方又は双方のフィルム片の重なり方向の面が非ヒートシール面とされる。この実施例においては、重なりの外側に位置する側のフィルム片１４の裏面に表面を非ヒートシール面とした帯状のテープ１５をもう一方のフィルム片１３との重なり箇所に沿って積層することにより上記の手段としているが、図３に示すようにフィルム片１３及び１４の何れかの該当部分の重なり方向の面自体を非ヒートシール面として加工してもよい。
【００１３】
図４乃至図８はこの発明のシート体を用いた包装付き成形米飯食品の一例の製造過程を示す図であり、ここでは成形米飯食品として三角形状のおにぎりを例示している。図中符号１はシート体であり、ここにおにぎりＲを当接した状態で折り目２Ｂ、２Ｂを境として包装体の正面部Ａ、底襠部Ｂ、背面部Ｃを構成する領域がおにぎりの正面に密接するようにコ字状に折り曲げられ、その後、折り目２Ａ、２Ａを境として包装体の側襠部Ｄ、Ｄを構成する領域３、３がおにぎり側に折り曲げられる。又、その際に包装体の側襠部Ｄ、Ｄを構成する領域３、３と折り目２Ａに挟まれる領域４が折り目２Ｂ、２Ｂ及び２Ｃ、２Ｃを境として折り畳まれて、領域３、３の裏面に重合される。
【００１４】
以上の過程により上方を開口した直方体からなる包装体が得られ、側襠部Ｄ、Ｄを構成する領域３、３と、折り畳まれてその裏面に重合される領域４がヒートシール箇所Ｓ２において同時に融着されると共に、領域３、３同士もヒートシールされる（図６参照）。
【００１５】
次に、側襠部Ｄ、Ｄを折り目５Ａが包装体内方に突出するように内方に折り込みながら正面部Ａと背面部Ｃを開口において近接させ（図７参照）、更に開口において向き合ったシート体１の短手側の両端辺同士をヒートシール箇所Ｓにおいて融着して封止することにより一連の包装は完了する（図８参照）。
【００１６】
図１１の（Ａ）はこの発明の包装付き成形米飯食品のヒートシール箇所Ｓの融着前の端面を示す図である。この図からも明らかなように（○○○）で示す各フィルムの融着箇所は裏側フィルムの一対のフィルム片１３、１４の重なり箇所において、重なりの外側に位置する側のフィルム片１４の裏面に積層された帯状のテープ１５表面の非ヒートシール面と表側フィルムの裏面に積層された帯状のテープ１１の表面の非ヒートシール面により遮断されるので−（ＸＸＸ）として図示する−、ヒートシール箇所Ｓ全体にヒートシールローラーを当接しても遮断箇所は融着されないことになる。
【図面の簡単な説明】
【００１７】
【図１】この発明のシート体の分解斜視図。
【図２】同上、断面図。
【図３】この発明のシート体の異なる実施例の分解斜視図。
【図４】この発明の装付き成形米飯食品の製造過程を示す斜視図。
【図５】同上、製造過程を示す斜視図。
【図６】同上、製造過程を示す斜視図。
【図７】同上、製造過程を示す斜視図。
【図８】この発明の包装付き成形米飯食品の斜視図。
【図９】従来技術の成形米飯食品のシート体の分解斜視図。
【図１０】従来技術の包装付き成形米飯食品の斜視図。
【図１１】この発明と従来技術の作用の対比を図示した構成図。
【符号の説明】
【００１８】
Ｒ            成形米飯食品
Ｎ            シート状食品
１            シート体
１０          表側フィルム
１２          帯状のテープ
１３          （裏側フィルムを構成する）フィルム片
１４          （裏側フィルムを構成する）フィルム片
１５          帯状のテープ
【図１】
2006021775.tif 000003
【図２】
2006021775.tif 000004
【図３】
2006021775.tif 000005
【図４】
2006021775.tif 000006
【図５】
2006021775.tif 000007
【図６】
2006021775.tif 000008
【図７】
2006021775.tif 000009
【図８】
2006021775.tif 000010
【図９】
2006021775.tif 000011
【図１０】
2006021775.tif 000012
【図１１】
2006021775.tif 000013